(57)【要約】【課題】  棹石と上台石を強固に結合することにより地震や台風等の揺れや振動、或いは風力等で棹石が転倒や倒壊するのを防止すると共に、作業性に優れた耐震墓石とする。【解決手段】  上台石３の上に棹石４を重ねて構成される墓石において、上台石３の棹石４との当接面に係止溝部５ａを両側に有する略蟻溝形状の凹部５を設ける。棹石４の底面に係止溝部５ａに係止する係止突起部７ｂを両側に有する略蟻ほぞ形状の係止体７を棹石４と一体に設ける。係止体７は係止突起部７ｂ間の幅が凹部５の係止溝部５ａ間の最大幅よりも小さく、凹部５の係止溝部５ａ側の開口幅よりも大きく、かつ係止突起部７ｂを凹部５の係止溝部５ａ側から挿入可能に形成する。係止体７を凹部５に嵌合し、上台石３上に棹石４を結合する。【選択図】  図２
2006132090.tif 000002
【特許請求の範囲】
【請求項１】
上台石の上に棹石を重ねて構成される墓石において、上台石の棹石との当接面に係止溝部を両側に有する略蟻溝形状の凹部が設けられ、棹石の底面に前記係止溝部に係止する係止突起部を両側に有する略蟻ほぞ形状の係止体が棹石と一体に設けられ、この係止体は係止突起部間の幅が前記凹部の係止溝部間の最大幅よりも小さく、凹部の係止溝部側の開口幅よりも大きく、かつ係止体は係止突起部が凹部の係止溝部側から挿入可能に形成され、この係止体が前記凹部に嵌合され上台石上に棹石が結合されていることを特徴とする耐震墓石。
【請求項２】
上台石の上面に凹部内に開口するコーキング材注入孔が設けられ、係止体と凹部との隙間にコーキング材が充填されていることを特徴とする請求項１記載の耐震墓石。
【発明の詳細な説明】
【技術分野】
【０００１】
本発明は、地震や台風等においても転倒や倒壊を起こさない耐震墓石に関するものである。
【背景技術】
【０００２】
一般に墓石は、土台石の上に下部台石を、この下部台石の上に上部台石を、そして最上部に棹石を順次重ねた構造となっている。
このような構造の墓石は、積み重ねて載置されているだけでは地震の揺れや振動或いは台風の風力等で、特に縦長の棹石は転倒や倒壊する危険性が高く、一旦倒壊すると補修が不可能で経済的負担も大きなものとなる。
【０００３】
そこで、従来は地震等の強い振動でも転倒や倒壊を防止した墓石として、石材の当接面の対向位置にそれぞれ凹入するダボ孔を穿設し、下方の石材のダボ孔に、高さ寸法が片方のダボ孔の深さより深いダボ材を挿入し、上方の石材のダボ孔を下方の石材の上面に突出したダボ材に遊嵌させて載置させた墓石がある。
しかし、重量が大きく縦長で重心の高い棹石は、石材と一体化していないダボ材では強度に欠け、強い振動を受けるとダボ材が破損してしまう危険性が高いという問題点を有している。
【０００４】
又、特開平９ー３１７２４８の公報に示されるように、棹石と上台を一体に形成した墓石もあるが、重量が大きくなり、運搬や狭いスペースでの設置作業が困難な問題点を有している。
又、棹石の底面に角状の凸部を形成し、上台の上面に中空角筒状の凹部を形成し、この凹部に凸部を嵌合させて棹石と上台を結合しているが、これも強い揺れや振動を受けると凸部が凹部から外れてしまう問題点を有している。
【特許文献１】特開平９ー３１７２４８
【発明の開示】
【発明が解決しようとする課題】
【０００５】
上記点より、本発明は棹石と上台石を強固に結合することにより、地震や台風等の揺れや振動、或いは風力等で棹石が転倒や倒壊するのを防止すると共に、作業性の優れた耐震墓石を提供しようとするものである。
【課題を解決するための手段】
【０００６】
上記課題を解決するため請求項１記載の本発明耐震墓石は、上台石の上に棹石を重ねて構成される墓石において、上台石の棹石との当接面に係止溝部を両側に有する略蟻溝形状の凹部が設けられ、棹石の底面に前記係止溝部に係止する係止突起部を両側に有する略蟻ほぞ形状の係止体が棹石と一体に設けられ、この係止体は係止突起部間の幅が前記凹部の係止溝部間の最大幅よりも小さく、凹部の係止溝部側の開口幅よりも大きく、かつ係止体は係止突起部が凹部の係止溝部側から挿入可能に形成され、この係止体が前記凹部に嵌合され上台石上に棹石が結合されていることを特徴とするものである。
【０００７】
このような構成とすることにより、棹石の底面に棹石と一体に設けた係止突起部を両側に有する略蟻ほぞ形状の係止体が、上台石の棹石との当接面に係止溝部を両側に有する略蟻溝形状の凹部に嵌合し、係止突起部が係止溝部に係止されているので、棹石と上台石が強固に結合し、縦長で重心の高い棹石は地震や台風等の揺れや振動、或いは風力等で転倒や倒壊するのが防止される。
【０００８】
係止体は、係止突起部間の幅が凹部の係止溝部間の最大幅よりも小さく、凹部の係止溝部側の開口幅よりも大きく形成され、かつ略蟻溝形状の凹部に嵌合する時に、係止突起部が凹部の係止溝部側から挿入可能な略蟻ほぞ形状となっているため、嵌合すると係止体と凹部との間に隙間が生じ、この隙間内で棹石は移動できるので衝撃を逃すことができ、耐震性に優れたものとなる。
【０００９】
次に、請求項２記載の本発明耐震墓石は、請求項１記載の耐震墓石において、上台石の上面に凹部内に開口するコーキング材注入孔が設けられ、係止体と凹部との隙間にコーキング材が充填されていることを特徴とするものである。
【００１０】
このような構成とすることにより、コーキング材注入孔から注入されたコーキング材で係止体と凹部との隙間が埋められ、棹石と上台石は一体不可分に固定され、強度が増大する。
【発明の効果】
【００１１】
請求項１記載の本発明耐震墓石によれば、棹石の底面に設けた係止突起部を両側に有する略蟻ほぞ形状の係止体が、上土台石との当接面に設けた係止溝部を両側に有する略蟻溝形状の凹部に嵌合し、棹石と上台石が強固に結合しているので、棹石は地震や台風等の揺れや振動或いは風力等で転倒や倒壊するのが防止される効果を有する。
【００１２】
係止体は棹石と一体に設けられているため、従来のような墓石と分離したダボ材等に比べて一体性があり、強度も大きい。
【００１３】
又、棹石と上台石は分離可能であるため、従来の棹石と上台石が一体に形成されたものに比べて、運搬や狭いスペースでの設置作業が容易となる。
【００１４】
係止体は、係止突起部間の幅が凹部の係止溝部間の最大幅よりも小さく、凹部の係止溝部側の開口幅よりも大きく形成され、かつ略蟻溝形状の凹部に嵌合する時に、係止突起部が凹部の係止溝部側から挿入可能な略蟻ほぞ形状となっているため、嵌合すると係止体と凹部との間に隙間が生じ、この隙間内で棹石は移動できるので衝撃を逃すことができ、耐震性に優れたものとなる効果を有する。
【００１５】
次に、請求項２記載の本発明耐震墓石によれば、係止体と凹部との隙間に充填されたコーキング材で隙間が埋められるので、棹石と上台石は一体不可分に固定され、結合力も更に大きくなり、強度が増大する効果を有する。
【発明を実施するための最良の形態】
【００１６】
以下、本発明の一実施の形態を添付図面を参照して説明する。
図１は本発明墓石の一実施の形態を示す側面図、図２は棹石と上台石の結合状態を示す部分拡大断面図、図３は同上の嵌合途中の部分拡大断面図、図４は同上の他の実施の形態を示す部分拡大断面図、図５は上台石の平面図、図６は棹石の底面図である。
【００１７】
本発明墓石は、図１に示すように、土台石１上に下台石２を載せ、この下台石２上に方形体の上台石３が重ねられ、この上台石３上に縦長方形体の棹石４が重ねられている。
【００１８】
上台石３の棹石４との当接面に、図５に示すように、平面視四角形の開口部を有する凹部５が設けられている。
凹部５は両側に係止溝部５ａを有する略蟻溝形状に形成されている。上台石３の上面で凹部５の周縁部付近は開口部に向けて四辺に下方傾斜面３ａが形成されている。
【００１９】
又、凹部５は係止溝部５ａ間の最大の幅は、係止溝部５ａ側の凹部５の開口幅よりも大きくなっている。凹部５の係止溝部５ａの延長方向側の幅は、凹部５の開口幅と同一となっている。
【００２０】
上台石３の上面で凹部５の縁部の傾斜面３ａに、凹部５の係止溝部５ａ内に開口するコーキング材注入孔６が穿設されている。このコーキング材注入孔６は何れか一方の係止溝部５ａ側に穿設される。
又、コーキング材注入孔６は、図４に示すように、棹石４で塞がないよう棹石４の外側となる位置の上台石３上に、両側の係止溝部５ａに開口するよう穿設することもできる。
【００２１】
次に、棹石４の底面中央部に上台石３の略蟻溝形状の凹部５に嵌合する略蟻ほぞ形状の係止体７が一体形成されている。
係止体７の基部は平面視断面形状が四角形で、棹石４の底面は四方の辺から係止体７の基部の対向辺に向けて下方傾斜面７ａが形成されている。この傾斜面７ａは上台石３の傾斜面３ａと合致する傾斜となっている。
【００２２】
係止体７は両側に凹部５の係止溝部５ａに係止する係止突起部７ｂを有している。この係止体７は係止突起部７ｂ間の幅が凹部５の係止溝部５ａ間の最大幅よりも小さく、凹部５の係止溝部５ａ側の開口幅よりも大きく形成され、かつ係止体７は係止突起部７ｂが凹部５の係止溝部５ａ側から挿入可能に形成されている。
これにより、係止体７は凹部５に嵌合すると、係止体７と凹部５との間に隙間が生じ、地震や台風等の揺れや振動に際して、係止体７は隙間内を移動可能であるが、係止突起部７ｂが係止溝部５ａに係止し、離脱することは防止される。
係止突起部７ｂは係止体７の底面にかけてアールに形成され、係止溝部５ａの挿入時に係止突起部７ｂが挿入し易くなっている。
【００２３】
尚、図中８はコーキング材注入孔６から係止体７と凹部との隙間内に充填したコーキング材であり、これにより係止体７は凹部５内に固定される。
コーキング材８として、シリコン系等の樹脂からなる樹脂コーキング材やモルタル等が使用される。樹脂コーキング材を使用すれば、揺れや振動に際して緩衝作用を有する。
【００２４】
次に、このような構成を有する耐震墓石の棹石４と上台石３との結合方法を図面に基づき説明する。
図３に示すように、棹石４の係止体７の一方の係止突起部７ｂを、上台石３の凹部５のコーキング材注入孔６を有しない側の係止溝部５ａに棹石４を傾斜して挿し込み、棹石４が傾斜状態の時にコーキング材注入孔６からコーキング材８を注入し、その後、係止体７を凹部５の底面に落とし込み結合する。
【００２５】
又、図４に示すように、コーキング材注入孔６を棹石４で塞がれない位置に設けた場合は、棹石４の係止体７を上台石３の凹部５に嵌合した後で、コーキング材８を注入でき、注入作業が容易となる。
【００２６】
以上、本発明を実施形態に基づき具体的に説明したが、本発明は上記実施形態に何ら限定されるものではなく、例えば、図１では棹石４の係止体７の凹部５への挿入方向は墓石の前後方向となっているが、挿入方向が墓石の左右方向への配置であっても良い。
又、図５ではコーキング材注入孔６が一個だけであるが、複数個設けることもできる等、本発明の趣旨を逸脱しない範囲内において、種々の改良、改変が可能である。
【図面の簡単な説明】
【００２７】
【図１】本発明耐震墓石の一実施の形態を示す側面図である。
【図２】本発明耐震墓石の部分拡大断面図である。
【図３】本発明耐震墓石の部分拡大断面図である。
【図４】本発明耐震墓石の他の実施の形態を示す部分拡大断面図である。
【図５】本発明耐震墓石の上台石の平面図である。
【図６】本発明耐震墓石の棹石の底面図である。
【符号の説明】
【００２８】
１  土台石
２  下台石
３  上台石
３ａ、７ａ  傾斜面
４  棹石
５  凹部
５ａ  係止溝部
６  コーキング材注入孔
７  係止体
７ｂ  係止突起部
８  コーキング材
【図１】
2006132090.tif 000003
【図２】
2006132090.tif 000004
【図３】
2006132090.tif 000005
【図４】
2006132090.tif 000006
【図５】
2006132090.tif 000007
【図６】
2006132090.tif 000008